(57)【特許請求の範囲】
【請求項１】
垂直方向に延びる押え棒を有し第１弾性体により針板に押圧される押え金と、該押え金の近傍に配置され、主軸に連結されたワンウェイクラッチを介して間欠的に回転する先引きローラと、該先引きローラを回転可能に支持し針板に向かって押圧されるよう第２弾性体を付設したハウジングと、ミシン機枠に回転可能に支持され、押え棒とハウジングとに個別のリンク部材を介して連結される押え上げレバーと、押え上げレバーに連結される押え上げ操作具とを備え、押え上げ操作具の操作で両弾性体に抗して押え棒とハウジングとを上昇させ押え金と先引きローラとを針板より離間させるミシンの押え上げ装置において、ハウジングと押え上げレバーとの連結が、前記リンク部材に形成された孔及び略Ｊ字状の長孔と、押え上げレバー及びハウジングに夫々固定されたピンとで行われ、このリンク部材を押え上げレバーに対して位置変更することにより略Ｊ字状の長孔におけるピンの摺動箇所を変更させ、押え上げ操作具の操作時にハウジングの先引きローラを針板より離間させないようにしたことを特徴とするミシンの押え上げ装置。
【請求項２】
リンク部材の略Ｊ字状長孔が押え上げレバーのピンに嵌合されている請求項１記載のミシンの押え上げ装置。
【請求項３】
押え棒と押え上げレバーとを連結するリンク部材がミシン機枠の内側に配置され、ハウジングと押え上げレバーとを連結するリンク部材がミシン機枠の外側に配置された請求項１記載のミシンの押え上げ装置。
【発明の詳細な説明】
【０００１】
【産業上の利用分野】
本発明は、押え金の近傍に先引きローラを配置したミシンに関し、特に、押え金と先引きローラとを押え上げ操作具で針板より離間させるようにしたミシンの押え上げ装置に関する。
【０００２】
【従来の技術】
この種のミシンに関する押え上げ装置としては、特開平８−３８７６１号公報に開示されているように、押え金の近傍に先引きローラが配置されている。図５は、この従来装置の要部に関する部品展開図であり、図６は、同装置の押え棒に付勢される弾性体を示す部品展開図である。押え金１は垂直方向に延びる押え棒２にネジ２ａで固定され、押え棒２はミシン機枠Ａに螺合されたブッシュ３に上下スライド可能に支持されている。押え棒２の上端は当金４に嵌合され、当金はアーチばね５（第１弾性体）により下方に付勢される。アーチばね５により付勢された当金４は、押え棒２を介して押え金１を針板６に付勢することとなる。
【０００３】
先引きローラ７は支持軸７ａを介してハウジング９に回転可能に支持され、支持軸７ａのギヤ７ｂは伝達軸２１のギヤ２１ｂを介してワンウェイクラッチ８に連結されている。ワンウェイクラッチ８は、図４に示すように、ジョイント部材１０を介してベルクランクレバー１１の一端に連結され、ベルクランクレバー１１の他端は主軸Ｓの偏心部に介装されたロッド１２に連結されている。ハウジング９は垂直方向に延びる支持棒１３を有し、支持棒１３はコイルばね１４の一方を支持するストッパ片１３ａを有する。コイルばね１４は支持棒１３に介装され、ハウジング９はコイルばね１４（第２弾性体）により針板６側へ付勢される。
【０００４】
押え金１の押え棒２とハウジング９の支持棒１３とは、図５に示すように、個別のリンク部材１５，１６を介して押え上げレバー１７に夫々連結されている。押え上げレバー１７はネジ１７ａの弛緩操作により分解できる。また、押え上げレバー１７は連杆１８を介して押え上げ操作具１９に連結されている。押え上げ操作具１９は、図示しない足踏みペダルやソレノイドによって作動するように構成されている。
【０００５】
ミシンを駆動させるために主軸Ｓを回転させると、ワンウェイクラッチ８を介して伝達軸２１が間欠的に回転し、伝達軸２１の間欠回転がギヤ７ｂ，２１ｂを介して先引きローラ７に伝達される。この時、先引きローラ７は押え金１と共に針板６に押圧され、布地は先引きローラ７と針板６の溝より出没する送り歯（図示せず）とで布送り方向Ｆに搬送されることとなる。縫製終了後に所定の空環を形成してから、次の後続布地を押え金１と針板６との間に挿入するようにしている。
【０００６】
【発明が解決しようとする課題】
ところが、後続の布地を挿入する時、押え上げ操作具の操作により押え金と先引きローラとは針板より離間されてしまうので、ミシン側に残った空環は先引きローラで支持されない状態だった。その時、後続の布地をセットすると空環がズレてしまい、布地の縫始め部分で縫い目が形成されなかったり団子状の塊が発生していた。その結果、縫製品としての見栄えが悪くなるという問題があった。また、このような問題を解決するために作業者が布地とともに空環を手で操作すると、作業の能率を向上させるのが困難となっていた。
従って、本発明の課題は、連続して布地を縫製する際に、それらの布地に形成された縫い目の見栄えを悪化させることなくスムースに作業を行うことができるミシンの押え上げ装置を提供することにある。
【０００７】
【課題を解決するための手段】
本発明は、垂直方向に延びる押え棒を有し第１弾性体により針板に押圧される押え金と、該押え金の近傍に配置され、主軸に連結されたワンウェイクラッチを介して間欠的に回転する先引きローラと、該先引きローラを回転可能に支持し針板に向かって押圧されるよう第２弾性体を付設したハウジングと、ミシン機枠に回転可能に支持され、押え棒とハウジングとに個別のリンク部材を介して連結される押え上げレバーと、押え上げレバーに連結される押え上げ操作具とを備え、押え上げ操作具の操作で両弾性体に抗して押え棒とハウジングとを上昇させ押え金と先引きローラとを針板より離間させるミシンの押え上げ装置において、ハウジングと押え上げレバーとの連結が、前記リンク部材に形成された孔及び略Ｊ字状の長孔と、押え上げレバー及びハウジングに夫々固定されたピンとで行われ、このリンク部材を押え上げレバーに対して位置変更することにより略Ｊ字状の長孔におけるピンの摺動箇所を変更させ、押え上げ操作具の操作時にハウジングの先引きローラを針板より離間させないようにしたことを特徴とする。
【０００８】
なお、リンク部材の略Ｊ字状長孔を押え上げレバーのピンに嵌合させておくのが望ましく、また、押え棒と押え上げレバーとを連結するためのリンク部材をミシン機枠の内側に配置し、ハウジングと押え上げレバーとを連結するためのリンク部材をミシン機枠の外側に配置するとよい。
【０００９】
【作用】
本発明によれば、ハウジングと押え上げレバーとを連結するためのリンク部材を押え上げレバーに対して位置変更できる。縫製作業を連続的に行う時は、このリンク部材の位置変更により略Ｊ字状の長孔におけるピンの摺動箇所を変更させ、押え上げ操作具の操作時にハウジングの先引きローラを針板より離間させないようにする。その結果、後続布地のセット時に空環が針板上で保持されることとなる。縫製途中で生地をミシンより取り除きたい時は、リンク部材の位置変更により略Ｊ字状の長孔におけるピンの摺動箇所を変更させ、押え上げ操作具の操作時にハウジングの先引きローラを押え金と共に針板より離間させるようにすればよい。また、押え上げレバーのピンにリンク部材の略Ｊ字状長孔を嵌合させる場合、該ピンを略Ｊ字状長孔の中間部に位置できるので、押え上げレバーに対するリンク部材の位置変更が行いやすくなる。
【００１０】
【発明の実施の形態】
以下、本発明に係る実施の形態を図１に基づいて説明する。但し、図４ないし図６で述べた従来装置と共通する部分については、同じ符号を付してその説明を省略する。押え金１の一部は、図１に示すように、ハウジング９の溝部に嵌合され、押え金１が左右に回転しないように構成されている。ハウジングの支持棒１３の上下部分はミシン機枠Ａの突部Ａ１，Ａ２で支持され、コイルばね１４は支持棒１３の中間部に介装されている。コイルばね１４の一端はミシン機枠Ａの上側突部Ａ１に当接され、その他端は支持棒１３に固定されたストッパ片１３ａに当接されている。コイルばね１４は支持棒１３を下方へ付勢させることになり、コイルばね１４の押圧力は押圧調節ネジ１４ａで調整できる。
【００１１】
ハウジング９の支持棒１３に固定されたストッパ片１３ａは、リンク部材２２を介して押え上げレバー１７に連結されている。リンク部材２２にはＪ字状の長孔２２ａと孔２２ｂとが設けられている。Ｊ字状長孔２２ａは押え上レバー１７に形成されたピン２３にスライド可能に嵌合され、孔２２ｂはストッパ片１３ａに固定されたピン２４に嵌合されている。これによりリンク部材２２と押え上げレバー１７とは連結されている。なお、通常時においては押え上げレバー１７のピン２３をＪ字状長孔２２ａのほぼ中間部に位置させるよう構成されている。
【００１２】
ワンウェイクラッチ８の出力軸２０は継手２０ａを有し、この継手２０ａは伝達軸２１の継手２１ａに嵌合される。伝達軸２１下端に固定されたギヤ２１ｂは、先引きローラ７の支持軸７ａに固定されたギヤ７ｂに噛み合わされる。ハウジング９に取付けられたブラケット２５は補助押え２６を回転可能に支承しており、押え金１と補助押え２６とは先引きローラ７を挟んで前後に配置されている。
【００１３】
次に、この装置について、その作用を説明する。図２に示すように、押え上げレバー１７のピン２３がリンク部材２２のＪ字状長孔２２ａ左部に位置していると、押え上げ操作具１９の操作時に押え上げレバー１７の旋回と共にリンク部材２２がストッパ片１３ａを持ち上げる。この時、リンク部材１５も押え棒２を持ち上げるので、押え金１と先引きローラ７は針板６より離間され、その結果、針板６上の布地を取り除くことができる。
【００１４】
また、図３に示すように、リンク部材２２を押え上げレバーに対して移動（位置変更）し、押え上げレバー１７のピン２３をリンク部材２２のＪ字状長孔２２ａ右部に位置させる。この時、押え上げ操作具１９の操作で押え上げレバー１７を旋回しても押え上げレバー１７のピン２３がＪ字状長孔２２ａ中をスライドするだけでストッパ片１３ａは持ち上がらない。従って、リンク部材１５が押え棒２を持ち上げることで押え金１は針板６より離間するが、先引きローラ７は針板６より離間しない。このような設定にしておくと、縫製後に後続布地をミシンの針板６上に挿入する際、ミシン側に残った空環が先引きローラ７によって挟持されることとなる。その結果、縫製作業の能率を落とすことがない。
【００１５】
本実施の形態においては、ハウジングと押え上げレバーとを連結するリンク部材にＪ字状の長孔を形成させたが、この文言の形状に限定されるわけでない。例えば、リンク部材に「し」字状等の略Ｊ字状長孔を形成すればよい。また、本実施の形態では、リンク部材の各孔にピンが嵌合されていたが、これに限定されるだけでなく、段付きネジを利用してもよい。
【００１６】
【発明の効果】
以上のように、本発明によれば、押え金の上昇時に先引きローラを針板より離間させないようにすることでミシン側に残った空環をずらすことなく後続布地をセットでき、連続して縫製する際の能率を上げることができる。また、押え上げレバーのピンにリンク部材の略Ｊ字状長孔を嵌合させる場合、該ピンを略Ｊ字状長孔の中間部に位置させ、押え上げレバーに対するリンク部材の位置変更を容易にすることができる。さらに、ハウジングと押え上げレバーとを連結するリンク部材がミシン機枠の外側に配置されることで操作上のミスを軽減することができる。
【図面の簡単な説明】
【図１】本発明に係るミシンの押え上げ装置の概要を示す斜視図である。
【図２】同上装置の作用状態を示す説明図である。
【図３】同上装置の作用状態を示す説明図である。
【図４】従来装置の概要を示す斜視図である。
【図５】従来装置の要部に関する部品展開図である。
【図６】同上装置の押え棒に付勢される弾性体を示す部品展開図である。
【符号の説明】
１        押え金
２        押え棒
５          アーチばね（第１弾性体）
６          針板
７          先引きローラ
８          ワンウェイクラッチ
９          ハウジング
１４        コイルばね（第２弾性体）
１５        リンク部材
１７        押え上げレバー
１９        押え上げ操作具
２２        リンク部材
２２ａ      Ｊ字状長孔（略Ｊ字状長孔）
２２ｂ      孔
２３，２４  ピン
Ａ        ミシン機枠
Ｓ        主軸
【図１】
0003764867.tif 000002
【図２】
0003764867.tif 000003
【図３】
0003764867.tif 000004
【図４】
0003764867.tif 000005
【図５】
0003764867.tif 000006
【図６】
0003764867.tif 000007